(57)【要約】      （修正有）【課題】掛け布団の位置調整により、身体にかかる重量と摩擦力を軽減する快眠補助器具を提供する。【解決手段】Ｖ字型土台の中央部に垂直に支え足を立て、上部がスライド式二重筒構造で、横面にねじ式止め具を付けた高さ調整部を設け、先端部に斜めに突き出すアームを付け、アームの先端に板を付け、裏面に付けた吊り棒に、上面に上下二枚で布団を挿み、布団を貫通するピンと受け止めフックで固定する布団固定板を付いた布団受け板を吊るす。【選択図】図５
0003176545.tif 000002
【実用新案登録請求の範囲】
【請求項１】
快眠アーム台（A）を考案する。（A）は、ベットの下に土台を入れ土台から伸びた台柱をベットの横面に付け、アーム先端の掛け布団受け板が就眠状態の身体の真上に設置でき受け板と身体との間に隙間が出来る。受け板に布団固定板を設置し上下固定板の間に掛け布団を挿み固定出来る事により、首と肩の位置から掛け布団が剥がれてズレることが無く、寝冷えに成りにくく風邪引き予防になる。身体と掛け布団との間に中空間が出来ることで、身体への纏わりが無くなり自由な寝返りが出来、身体が望む自然な姿勢が確保でき健康維持促進が図れる。
【請求項２】
布団受け板の上に固定する掛け布団を上下から挟み固定する布団固定版（イ）を考案する。  固定板には凹凸の金具を付け下に凹、上に凸の形で結合出来る。  布団固定板（イ）に板付け外し機（ロ）を考案する。板付け外し機は、バネ式閉じ位置が定位で、外しツマミ操作で開き、止めピンが外れ分離する。
【請求項３】
図６の快眠アーム台（B）は、就眠姿勢の真上に受け板がくるように設置できアームで身体との間に空間が作れる。また台柱に高さ調整機を付けて布団受け板の高さ調節をし、身体と掛け布団の間の中空間の広さを調整する。  掛け布団受け板（ハ）の上面に滑り止め摩擦パット（ニ）を貼り、掛け布団のズレを無くし固定する。  アームの無い側の掛け布団を捲り上げ受け板に載せて病人老人の介護にも利用できて、また布団内乾燥も出来る。
【考案の詳細な説明】
【技術分野】
【０００１】
本考案は、掛け布団の位置調整により、身体にかかる重量と摩擦力を軽減するものである。
【考案の概要】
【０００２】
従来の快眠具は、特許公開２００９−６６３８０で開示されているが、本考案は布団の安定と身体との分離による物を考案する。
【考案が解決しようとする課題】
【０００３】
解決しようとする問題点は、就眠中の寝返りや足蹴りなどで掛け布団のズレや捲れが起こり、寝冷えや風邪ひきになるマイナス要素が考えられる。また掛け布団の重みと、纏わりによる寝苦しさや身体への圧力や不自然な姿勢による身体へのマイナス要素も考えられる。
【課題を解決するための手段】
【０００４】
本考案は、快眠アーム台の提供で掛け布団を固定してズレ無い掛け布団を作れる。  また身体と掛け布団の間に隙間も作れ、掛け布団の重みと摩擦力を少なくして自由な寝返りと姿勢を提供する。就眠中の寝相の悪さによる掛け布団のズレや捲れを無くすことも出来る。
【考案の効果】
【０００５】
就眠中の身体と掛け布団を離すことにより掛け布団の重みと圧迫を無くすことで自由に寝返りができ、身体の自然な姿勢を維持でき疲労回復が図れる。  また足蹴りなどによるズレや捲れるなど寝相の悪さによる寝冷えや風邪引きを防ぎ健康維持促進を図る利点がある。また布団受け板に掛け布団を捲り上げることで、病人老人などの介護補助や布団内乾燥もできる。  本考案は、寝方就眠革命と思える。
【図面の簡単な説明】
【０００６】
【図１】快眠アーム台（A）の形体図である
【図２】高さ調整機
【図３】快眠アーム台（A）の平面図である。（実施例１）
【図４】快眠アーム台（A）の断面図である。（実施例１）
【図５】快眠アーム台（A）の側面図である。（実施例１）
【図６】快眠アーム台（B）の形体図である。
【図７】快眠アーム台（B）の断面図である。
【図８】快眠アーム台（B）の側面図である。
【図９】布団固定板と板付け外し機である。
【考案を実施するための形態】
【０００７】
図１の快眠アーム台（A）に布団固定板（図９）を付け、掛け布団を挿み吊るし固定して身体との間に空間を作る。  
【０００８】
図６の快眠アーム台（B）では、土台を布団の下に入れ、受け板に掛け布団を掛ける。
【実施例１】
【０００９】
図３は、快眠アーム台土台をベットの下に入れ、支え足をベットの横面に付ける。  掛け布団の上端から５０ｃｍ程下の所に固定板の上端を合わせ、布団の縦中心線に固定板（イ）を合わせて挿み、快眠アーム台最上部板に吊るす。掛け布団上端部を敷き布団に１０ｃｍ程付くように高さ調節し掛ける。
【実施例２】
【００１０】
図６は本考案器具の畳敷きタイプの図である。土台を敷き布団の下に入れ、支え足を敷き布団の横面に付ける。受け板の頭部側の端から５０ｃｍ程掛け布団上部を出し、敷き布団に１０ｃｍ程付くように高さ調節し掛ける。
【符号の説明】
【００１１】
（イ）布団固定板
（ロ）板付け外し機
（ハ）掛け布団受け板
（ニ）滑り止め摩擦パット
【先行技術文献】
【特許文献】
【００１２】
特許出願２００７−２７５７３２
【図１】
0003176545.tif 000003
【図２】
0003176545.tif 000004
【図３】
0003176545.tif 000005
【図４】
0003176545.tif 000006
【図５】
0003176545.tif 000007
【図６】
0003176545.tif 000008
【図７】
0003176545.tif 000009
【図８】
0003176545.tif 000010
【図９】
0003176545.tif 000011
【手続補正書】
【提出日】平成24年1月21日(2012.1.21)
【手続補正１】
【補正対象書類名】実用新案登録請求の範囲
【補正対象項目名】全文
【補正方法】変更
【補正の内容】
【実用新案登録請求の範囲】
【請求項１】
快眠アーム台は、布団固定板と吊り棒で掛け布団を主柱に吊り浮かし固定することによりズレ無い掛け布団を確保し、高さ調整機により身体と掛け布団の間に空間を確保することで掛け布団の重みと密着から解放させることを特徴とする掛け布団吊り上げ快眠補助器具。
【請求項２】
請求項１記載の快眠アーム台の布団固定板と吊り棒を無くし、主柱の最上部先端に布団受け板を付け、上面に滑り止め摩擦パットを張り、受け板の上に掛け布団を掛け固定することを特徴とする掛け布団吊り上げ快眠補助器具。
【請求項３】
請求項１と２に記載の快眠アーム台の台柱を短くし、土台を敷き布団やベットマットの下に入れることを特徴とする掛け布団吊り上げ快眠補助器具。
【手続補正２】
【補正対象書類名】図面
【補正対象項目名】全図
【補正方法】変更
【補正の内容】
【図２】
0003176545.tif 000012
【図３】
0003176545.tif 000013
【図４】
0003176545.tif 000014
【図５】
0003176545.tif 000015
【図６】
0003176545.tif 000016
【図７】
0003176545.tif 000017
【図８】
0003176545.tif 000018
【図１】
0003176545.tif 000019
【図９】
0003176545.tif 000020
【手続補正書】
【提出日】平成24年4月10日(2012.4.10)
【手続補正２】
【補正対象書類名】実用新案登録請求の範囲
【補正対象項目名】全文
【補正方法】変更
【補正の内容】
【実用新案登録請求の範囲】
【請求項１】
快眠アーム台は、V字型土台の中央部に垂直に支え足を立て、上部がスライド式二重筒構造で横面にねじ式止め具を付けた高さ調節部を設け、先端部に斜めに突き出すアームを付け、アームの先端に板を付け裏面に付けた吊り棒に、上面に上下二枚で布団を挿み布団を貫通するピンと受け止めフックで固定する布団固定板を付いた布団受け板を吊るすことを特徴とする快眠補助器具。
【請求項２】
前記の支え足を高さ調節部だけにすることを特徴とする請求項１に記載の快眠補助器具。
【請求項３】
請求項１又は２の吊り機構部を無くし、アームの先端に布団受け板を付けたことを特徴とする快眠補助器具。